(57)【特許請求の範囲】
【請求項１】
第１の伝送媒体を流れる信号と第２の伝送媒体を流れる信号を相互に変換するメディアコンバータにおいて、
前記第２の伝送媒体からの信号の有無により前記第２の伝送媒体とのリンク異常を検出して、リンク異常時には独自の異常検知信号を前記第２の伝送媒体へ送信するリンク異常検出機能を有する送受信部と、
少なくとも前記第２の伝送媒体からの信号が無くなったときに、前記第２の伝送媒体からの信号と等価な疑似信号を前記送受信部へ出力する疑似信号発生手段と、
を有することを特徴とするメディアコンバータ。
【請求項２】
前記第２の伝送媒体は光ファイバであり、
前記第２の伝送媒体からの信号は、前記光ファイバの光信号の有無を示す光検出信号であり、
前記疑似信号発生手段は、前記光検出信号と等価な信号を常に前記送受信部へ出力することを特徴とする請求項１記載のメディアコンバータ。
【請求項３】
前記第２の伝送媒体は光ファイバであり、
前記第２の伝送媒体からの信号は、前記光ファイバの光信号を電気信号に変換したデータ信号であり、
前記疑似信号発生手段は、少なくとも前記データ信号が無くなったときに、前記疑似信号として前記データ信号と等価な信号を前記送受信部へ出力することを特徴とする請求項１記載のメディアコンバータ。
【請求項４】
前記第２の伝送媒体は光ファイバであり、
前記第２の伝送媒体からの信号は、前記光ファイバの光信号の有無を示す光検出信号と前記光ファイバの光信号を電気信号に変換したデータ信号であり、
前記疑似信号発生手段は、前記疑似信号として前記光検出信号と等価な信号を常に前記送受信部へ出力すると共に、少なくとも前記データ信号が無くなったときに前記疑似信号としてさらに前記データ信号と等価な信号を前記送受信部へ出力することを特徴とする請求項１記載のメディアコンバータ。
【請求項５】
前記第２の伝送媒体は光ファイバであり、
前記第２の伝送媒体からの信号は、前記光ファイバの光信号の有無を示す光検出信号と前記光ファイバの光信号を電気信号に変換したデータ信号であり、
前記疑似信号発生手段は、さらにメディアコンバータ内部の異常を検出する異常検出手段を有し、前記光検出信号が無くなった場合に、該異常検出手段が異常を検出していないときは前記疑似信号を出力せず、該異常検出手段が異常を検出したときは前記疑似信号として前記光検出信号と等価な信号および前記データ信号と等価な信号を前記送受信部へ出力することを特徴とする請求項１記載のメディアコンバータ。
【発明の詳細な説明】
【０００１】
【発明の属する技術分野】
本発明は、メディアコンバータに関する。
【０００２】
【従来の技術】
メディアコンバータは、異なる伝送媒体（たとえば光ファイバーとメタルケーブル）を接続し、これらを通して伝送されている信号を相互に変換する装置である。
【０００３】
メディアコンバータの具体例としては、たとえばメタルツイストペアケーブルを用いるＩＥＥＥ８０２．３規格の１０ＢＡＳＥ−Ｔや１００ＢＡＳＥ−ＴＸ方式のイーサネット（登録商標）信号を、光ファイバを用いる１００ＢＡＳＥ−ＦＸ方式のイーサネット（登録商標）信号に変換する装置がある。
【０００４】
このようなメディアコンバータを用いることで、たとえばメタルツイストペアケーブルを用いたローカルエリアネットワーク（以下ＬＡＮと称する）だけでは１００ｍ程度しか信号を流せなかったものが、メディアコンバータを介在させて光ファイバケーブルに信号を流すようにすることで、最大数十ｋｍまで伝達することが可能となる。
【０００５】
このようなメディアコンバータの実用例としては、ＦＴＴＨ（Ｆｉｂｅｒ  ｔｏ  ｔｈｅ  ｈｏｍｅ）などの光ファイバケーブルを利用した光通信の実用化、また、複数のＬＡＮを光ファイバケーブルにより接続したＷＡＮなどを挙げることができる。
【０００６】
たとえばＦＴＴＨは、収容局から加入者近くの電柱までの間に光ファイバケーブルを布設し、この光ファイバケーブルの一端を加入者住宅の屋内に引き込んで屋内の通信端末に接続する。このとき、屋内の通信端末を含む周辺機器の接続はメタルケーブルのままとし、光ファイバケーブルとこの通信端末との間に、電気信号を光信号に変換するメディアコンバータを接続することで、光ファイバケーブルによる高速な通信を可能としている。このようなＦＴＴＨにおいて、メディアコンバータは局舎側と加入者側にそれぞれ設けられている。
【０００７】
そして、メディアコンバータには、一方から他方の状態を確認するための仕組みが用意されている。たとえばＳＮＭＰ（簡易ネットワーク管理プロトコル（Ｓｉｍｐｌｅ  Ｎｅｔｗｏｒｋ  Ｍａｎａｇｅｍｅｎｔ  Ｐｒｏｔｏｃｏｌ））はその一つである。このＳＮＭＰは、メディアコンバータ、ルータ、スイッチなどといったネットワーク機器の稼働状態を遠隔操作により監視したり、設定したりするためのネットワーク管理用のプロトコルである。
【０００８】
メディアコンバータにおいてもこのＳＮＭＰを用いて、局舎側メディアコンバータから保守信号のやりとりにより加入者側メディアコンバータの稼働状況、たとえば、リンクの状況、電源のオン／オフなどを監視することができる。
【０００９】
保守信号は、データ信号の通信帯域外の周波数を使用したり、データ信号のフレーム長と異なるフレーム長による信号などを用いたりしている。たとえば、１００ＢＡＳＥ−ＦＸ規格に準拠した通信では、データ信号の最高周波数が６２．５ＭＨｚ、最低周波数が１２、５ＭＨｚであるから、保守信号として、これら最高周波数より高い周波数や、逆に最低周波数より低い周波数の信号を用いて伝達したり、また、これらの信号を組み合わせて使用したり、あるいは、ＩＥＥＥ８０２．３規格で規定されているデータ信号の最小フレーム長以下のフレーム長の信号を使用したりするなどの方法が用いられている。
【００１０】
図４は、従来の加入者側メディアコンバータにおいて、１００ＢＡＳＥ−ＴＸのリンクに異常が発生した場合を説明するための図面である。
【００１１】
従来の加入者側メディアコンバータにおいて、メタルツイストペアケーブルによる１００ＢＡＳＥ−ＴＸのリンクに異常が発生した場合（図中の×印）、ＬＡＮ側送受信部１１によって１００ＢＡＳＥ−ＴＸのリンク異常が検出され、この検出信号が制御部１９に供給される。
【００１２】
制御部１９は、検出信号をＳＮＭＰエージェント１８に渡し、そこで、異常が確認される。ＳＮＭＰエージェント１８は異常を確認して、検出信号毎に予め割り当てられている保守信号を送出するように制御部１９に指令する。制御部１９は、この指令にしたがって、保守サブレイヤ１２に対して該当する保守信号を出力するように制御する。
【００１３】
保守サブレイヤ１２から出力された保守信号は、通常の信号と同様にして、光ファイバ側送受信部１５および電気／光変換部１６を介して局舎側メディアコンバータに送信される。そして局舎側メディアコンバータに設けられているＳＮＭＰマネージャーによってこの保守信号が確認されて、加入者側メディアコンバータにおいて発生した１００ＢＡＳＥ−ＴＸのリンク異常を知ることができる。
【００１４】
また、加入者側メディアコンバータにおいては、光ファイバ側の信号処理を行う送受信部１５に、信号検出端子（以下、ＳＤ端子（ＳｉｇｎａｌＤｅｔｅｃｔ）と称する）と呼ばれる入力端子を持ち、直接光／電気変換部１７からの光検出信号を受信して、光ファイバ側の１００ＢＡＳＥ−ＦＸインタフェースに発生したリンク異常を判断できる機能を持つものがある。このような独自のリンク異常判断機能は、ＳＤ端子の無い光ファイバ側送受信部１５であっても、光／電気変換部１７部からのデータ信号の有無によってリンク状態を判断するものがあり、あるいは、ＳＤ端子からの入力とデータ信号の両方を用いてリンク異常を判断するものなどがある。
【００１５】
このような光／電気変換部１７からの光検出信号やデータ信号の有無によって直接リンク状態を判断することのできる送受信部は、図５に示すように、光ファイバケーブルを接続している１００ＢＡＳＥ−ＦＸイン夕フェースにリンク異常が発生した場合（図中の×印）、光ファイバ側送受信部１５がＳＤ端子に入力されている光検出信号が途絶えることで、１００ＢＡＳＥ−ＦＸイン夕フェースのリンク異常を検知する。そうすると、光ファイバ側送受信部１５は、独自に保守信号とは異なるＦＥＦＩ信号を直接光ファイバケーブル１１０へ送信する。
【００１６】
なお、ＦＥＦＩ（Ｆａｒ−Ｅｎｄ  Ｆａｕｌｔ  Ｉｎｄｉｃａｔｉｏｎ）信号とは、ＩＥＥＥ８０２．３Ｃｌａｕｓｅ２４．３．２．１で規定される信号であり、１００ＢＡＳＥ−ＦＸインタフェースからのデータ受信断を検知した場合にメディア独立インタフェースによるデータに関わらず強制的に送信される信号である。
【００１７】
このため、１００ＢＡＳＥ−ＦＸインタフェースのリンク異常のみを局舎側のメディアコンバータで検知したい場合には、このＦＥＦＩ信号を認識すればよい。
【００１８】
【発明が解決しようとする課題】
しかしながら、１００ＢＡＳＥ−ＦＸインタフェースのリンク異常と共に他の異常が発生した場合、たとえば、メタルツイストペアケーブルを用いる１００ＢＡＳＥ−ＴＸインタフェースのリンク異常や、加入者側メディアコンバータ内での電源異常などが発生した場合、これらの異常を知らせるための保守信号がメディア独立インタフェースによるデータとして光ファイバ側送受信処理部に入っても、光ファイバ側送受信処理部では１００ＢＡＳＥ−ＦＸインタフェースのリンク異常によって、独自にＦＥＦＩ信号を送信しているため、その他の保守信号を局舎側メディアコンバータに通知することができないという問題があった。
【００１９】
本発明は、上記に鑑みてなされたもので、その目的としては、加入者側メディアコンバータにおいて、光ファイバケーブルが接続されている側にリンク異常が発生した場合に独自の異常検知信号を通知する機能を有するものであっても、光ファイバケーブルが接続されている側のリンク異常時に、その他の保守信号も送信することのできるメディアコンバータを提供することである。
【００２０】
【課題を解決するための手段】
請求項１記載の発明は、上記課題を解決するため、第１の伝送媒体を流れる信号と第２の伝送媒体を流れる信号を相互に変換するメディアコンバータにおいて、前記第２の伝送媒体からの信号の有無により前記第２の伝送媒体とのリンク異常を検出して、リンク異常時には独自の異常検知信号を前記第２の伝送媒体へ送信するリンク異常検出機能を有する第２の伝送媒体側送受信部と、少なくとも前記第２の伝送媒体からの信号が無くなったときに、前記第２の伝送媒体からの信号と等価な疑似信号を前記送受信部へ出力する疑似信号発生手段と、を有することを要旨とする。
【００２１】
請求項２記載の発明は、請求項１記載のメディアコンバータにおいて、前記第２の伝送媒体は光ファイバであり、前記第２の伝送媒体からの信号は、前記光ファイバの光信号の有無を示す光検出信号であり、前記疑似信号発生手段は、前記光検出信号と等価な信号を常に前記送受信部へ出力することを要旨とする。
【００２２】
請求項３記載の発明は、請求項１記載のメディアコンバータにおいて、前記第２の伝送媒体は光ファイバであり、前記第２の伝送媒体からの信号は、前記光ファイバの光信号を電気信号に変換したデータ信号であり、前記疑似信号発生手段は、少なくとも前記データ信号が無くなったときに、前記疑似信号として前記データ信号と等価な信号を前記送受信部へ出力することを要旨とする。
【００２３】
請求項４記載の発明は、請求項１記載のメディアコンバータにおいて、前記第２の伝送媒体は光ファイバであり、前記第２の伝送媒体からの信号は、前記光ファイバの光信号の有無を示す光検出信号と前記光ファイバの光信号を電気信号に変換したデータ信号であり、前記疑似信号発生手段は、前記疑似信号として前記光検出信号と等価な信号を常に前記送受信部へ出力すると共に、少なくとも前記データ信号が無くなったときに前記疑似信号としてさらに前記データ信号と等価な信号を前記送受信部へ出力することを要旨とする。
【００２４】
請求項５記載の発明は、請求項１記載のメディアコンバータにおいて、前記第２の伝送媒体は光ファイバであり、前記第２の伝送媒体からの信号は、前記光ファイバの光信号の有無を示す光検出信号と前記光ファイバの光信号を電気信号に変換したデータ信号であり、前記疑似信号発生手段は、さらにメディアコンバータ内部の異常を検出する異常検出手段を有し、前記光検出信号が無くなった場合に、該異常検出手段が異常を検出していないときは前記疑似信号を出力せず、該異常検出手段が異常を検出したときは前記疑似信号として前記光検出信号と等価な信号および前記データ信号と等価な信号を前記送受信部へ出力することを要旨とする。
【００２５】
【発明の実施の形態】
以下、図面を参照して本発明の実施の形態を説明する。
【００２６】
（第１の実施の形態）
図１は、本発明のメディアコンバータを加入者側メディアコンバータに用いた通信システムを示すブロック図である。
【００２７】
図示する通信システムは、メタルツイストペアケーブル（第１の伝送媒体）よりなるＬＡＮ１２１および１２３を光ファイバケーブル１１０（第２の伝送媒体）によって接続するために加入者側メディアコンバータ１と局舎側メディアコンバータ３を用いているものである。
【００２８】
ここで、ＬＡＮ１２１および１２３は、メタルツイストペアケーブルが用いられる１００ＢＡＳＥ−ＴＸ規格を用いて通信を行っており、光ファイバケーブル１１０は１００ＢＡＳＥ−ＦＸ規格を用いて通信を行っている。また、光ファイバケーブル１１０自体は、２心線ファイバ、またはメディアコンバータに合波分波装置（不図示）を用いている場合には１心線光ファイバが使用される。
【００２９】
以下、本第１の実施の形態のおけるメディアコンバータの構成について説明する。
【００３０】
まず、加入者側メディアコンバータ１は、ＬＡＮ１２１とデータの送受信を行うＬＡＮ側送受信部（ＰＨＹ）１１と、光ファイバケーブル１１０とデータの送受信を行う光ファイバ側送受信部１５を有する。
【００３１】
ＬＡＮ側送受信部１１は、送信部（Ｔｘ）１１ａと受信部（Ｒｘ）１１ｂから成り、物理層レベルのプロトコルでＬＡＮ１２１との間で信号の送受信処理を行う。
【００３２】
一方、光ファイバ側送受信部１５は、送信部（Ｔｘ）１５ａと受信部（Ｒｘ）１５ｂからなり、物理層レベルのプロトコルで光ファイバケーブル１１０との間で信号の送受信処理を行うものである。
【００３３】
光ファイバ側送受信部１５の送信部１５ａには、光ファイバケーブル１１０との間に電気／光変換部（Ｅ／Ｏ）１６が接続されている。一方、光ファイバ側送受信部１５の受信部１５ｂには、光／電気変換部（Ｏ／Ｅ）１７がデータ切り替え器１０を介して接続されている。
【００３４】
ここで、光ファイバ側送受信部１５は、ＳＤ端子を備え、このＳＤ端子への光検出信号の有無によって光ファイバ側の１００ＢＡＳＥ−ＦＸインタフェースのリンク異常を判断する機能を有し、ＳＤ端子への光検出信号が途絶し、かつ、光／電気変換部１７からのデータ信号（電気信号）もない場合には、直接ＦＥＦＩ信号を光ファイバ１１０に送信する。
【００３５】
電気／光変換部１６は、送信部１５ａから出力されたデータ信号によってレーザダイオード（不図示）から出力されている光信号を変調し、変調された光信号を１００ＢＡＳＥ−ＦＸ規格の光ファイバケーブル１１０に出力する。
【００３６】
光／電気変換部１７は逆に、光ファイバケーブル１１０から入力された光信号を復調してデータ信号（電気信号）を生成する。また、光ファイバケーブル１１０からの光信号の有無を検出して光検出信号を出力する。出力された光検出信号は、制御部１９に入力されており、光ファイバ側である１００ＢＡＳＥ−ＦＸインタフェースのリンク異常を判断できるようなっている。
【００３７】
データ切り替え器１０は、光／電気変換部１７からのデータ信号および制御部１９からの疑似データ信号（詳細後述）が入力されており、光／電気変換部１７が出力している光検出信号の有無によって、これら２つのデータ信号を切り替えて受信部１５ｂに出力している。
【００３８】
すなわち、データ切り替え器１０は、光／電気変換部１７が出力している光検出信号がある場合（光ファイバケーブル１１０から光信号が来ている場合）は、光／電気変換部１７からのデータ信号が受信部１５ｂに入力されるようにし、一方、光／電気変換部１７が出力している光検出信号が無い場合（光ファイバケーブル１１０から光信号が来ていない場合）は、制御部１９からの疑似データ信号が受信部１５ｂに入力されるようにする。
【００３９】
また、加入者側メディアコンバータ１のＬＡＮ側送受信部１１と光ファイバ側送受信部１５の間には、保守サブレイヤ１２がある。
【００４０】
保守サブレイヤ１２は、制御部１９の制御によってローカル情報伝送のためにデータ信号以外の保守信号を生成し、送出する機能、および保守信号を検出する機能を有し、伝送媒体（メディア）に依存しないインタフェースであるメディア独立インタフェース（ＭＩＩ：Ｍｅｄｉａ  Ｉｎｄｅｐｅｎｄｅｎｔ  Ｉｎｔｅｒｆａｃｅ）によって送受信処理部１５と送受信処理部１１とを接続し、データのインタフェース、および送信エラー信号（ＴＸ−ＥＲ）や受信エラー信号（ＲＸ−ＥＲ信号）などの信号の送受信を行う。
【００４１】
また、メディアコンバータ１内には、上記各部を制御するための制御部１９がある。この制御部１９には、ＳＮＭＰマネージャー（後述）からＳＮＭＰプロトコルで規定されたコマンドによって指令を受け、蓄えた情報をＳＮＭＰマネージャーに通知したり、設定値を変更したりするＳＮＭＰエージェント１８が備えられている。
【００４２】
そして、制御部１９は、ＳＮＭＰエージェント１８により、入力されたローカル情報、たとえば、各部の異常を示す信号に基づいて、それらの異常に対応した保守信号を送出するように保守サブレイヤ１２を制御し、また、疑似光検出信号および疑似データ信号を出力する。
【００４３】
疑似光検出信号は、光／電気変換部１７が光信号のあるときに出力している光検出信号と等価な信号であり、送受信部１５のＳＤ端子へ入力されている。また、疑似データ信号は、光／電気変換部１７からのデータ信号（電気信号）と等価な信号でありデータ切り替え器１０に入力されている。
【００４４】
なお、加入者側メディアコンバータ１には、通常、商用電源（ＡＣ１００Ｖ）からの交流を１２Ｖの直流に変換するＡＣアダプタ５０が外付けになっており、このＡＣアダプタからの直流電力を各部に必要な所要電圧に変換して供給する電源部２０を備えている。
【００４５】
次に、局舎側メディアコンバータの構成について説明する。
【００４６】
局舎側メディアコンバータ３は、基本的には加入者側メディアコンバータと同様であり、局舎側のＬＡＮ１２３とデータの送受信を行うＬＡＮ側送受信部３１と、光ファイバケーブル１１０とのデータの送受信を行う光ファイバ側送受信部３３と、電気信号を光信号に変換する電気／光変換部（Ｅ／Ｏ）３４と、光信号を電気信号に変換する光／電気変換部（Ｏ／Ｅ）３５と、メディア独立インタフェース（ＭＩＩ）によってＬＡＮ側送受信部３１と光ファイバ側送受信部３３を接続し、保守信号の生成、検出などを行う保守サブレイヤ３２と、これらを制御する制御部３７と、制御部３７に接続されＳＮＭＰマネージャー４３を持つＳＮＭＰユニット４１と、を有する。
【００４７】
ここで、ＬＡＮ側送受信部３１および光ファイバ側送受信部３３は、加入者側メディアコンバータ１内のものと同様であり、それぞれ、送信部（Ｔｘ）３１ａと受信部（Ｒｘ）３１ｂ、送信部（Ｔｘ）３３ａと受信部（Ｒｘ）３３ｂからなり、ＬＡＮ側送受信部３１の送信部（Ｔｘ）３１ａと受信部（Ｒｘ）３１ｂはＬＡＮ１２３との間の送受信処理を行い、光ファイバ側送受信部３３の送信部（Ｔｘ）３３ａと受信部（Ｒｘ）３３ｂは光ファイバケーブル１１０とそれぞれ電気／光変換部３４および光／電気変換部３５を介して送受信処理を行う。
【００４８】
また、保守サブレイヤ３２も加入者側メディアコンバータ内のものと同様であり、保守信号の生成、検出、データのインタフェース、エラー信号（ＴＸ−ＥＲ、ＲＸ−ＥＲ信号など）などの送受信を行う。
【００４９】
そして、制御部３７に接続されているＳＮＭＰユニット４１は、局舎側メディアコンバータ３に接続されており、ＳＮＭＰユニット４１と接続されたパソコン上でＳＮＭＰマネージャーアプリケーションが実行されることで、制御部３７に対して保守信号の送信を指示し、また、保守サブレイヤ３２が検出した保守信号などを受信する。パソコンには、ディスプレイやプリンタなどの出力機器が接続されており、後述する手順に従って通知された異常などを表示、または出力する。
【００５０】
以下、本第１の実施の形態におけるメディアコンバータの作用を説明する。
【００５１】
まず、通常の通信における加入者側メディアコンバータ１と局舎側メディアコンバータ３の動作を説明する。
【００５２】
ここでは、局舎側のＬＡＮ１２３からの信号を加入者側のＬＡＮ１２１へ送信する場合を例に説明する。なお、その逆の場合、すなわち、加入者側のＬＡＮ１２１からの信号を局舎側のＬＡＮ１２３へ送信する場合は、この説明の逆の動作となるだけであるので、その説明は省略する。
【００５３】
局舎側のＬＡＮ１２３からの信号は、コネクタ３８を介してＬＡＮ側送受信部３１の受信部３３ｂに入力される。入力された信号は、ＬＡＮ１２３内をＭＬＴ−３（Ｍｕｌｔｉ−ＬｅｖｅｌＴｒａｎｓｍｉｓｓｉｏｎ−３）の３値信号として流れているものであるため、受信部３３ｂがこれをメディアに依存しないデータ信号（ＭＩＩによるデータ信号）に複合する。
【００５４】
複合されたデータ信号は、保守サブレイヤ３２を介して光ファイバ側送受信部３３の送信部３３ａに入力される。
【００５５】
送信部３３ａでは、入力されたデータ信号を、４ビット分の情報を５ビット分の符号で表現する４Ｂ／５Ｂ符号変換し、ＮＲＺＩ方式により符号化する。送信部３３ａは、さらにこの符号化された信号にスクランブル操作を行ってＭＬＴ−３の３値信号に変換し、電気／光変換部３４へ出力する。
【００５６】
電気／光変換部３４は、入力された電気信号により光信号を変調して光ファイバケーブル１１０へ出力する。
【００５７】
出力された光信号は、光ファイバケーブル１１０を通り加入者側メディアコンバータ１の光／電気変換部１７に入力されて電気信号に変換される。また、光／電気変換部１７は、光信号の入力がある場合、光信号の入力があること示す信号が光／電気変換部１７から受信部１５ｂのＳＤ端子に入力される。このＳＤ端子への入力があることで、１００ＢＡＳＥ−ＦＸ側の光ファイバ１１０とのリンクが正常であることが認識される。
【００５８】
光／電気変換部１７で電気信号に変化された信号は光ファイバ側送受信部１５の受信部１５ｂに入力される。
【００５９】
受信部１５ｂでは信号を複合する。複合されたデータ信号は、保守サブレイヤ１２を介してＬＡＮ側送受信部１１の送信部１１ａに入力される。
【００６０】
送信部１１ａでは、入力されたデータ信号を４Ｂ／５Ｂ符号変換し、ＮＲＺＩ方式により符号化し、さらに、スクランブル操作を行ってＭＬＴ−３の３値信号に変換して、コネクタ２１を介して加入者側のＬＡＮ１２１に送信する。
【００６１】
次に、加入者側メディアコンバータにおいて、光ファイバケーブル１１０が接続されている側の１００ＢＡＳＥ−ＦＸインタフェースにリンク異常が発生した場合における動作を説明する。
【００６２】
図２は、本第１の実施の形態における処理手順を示す図面である。
【００６３】
まず、ＳＮＭＰエージェント１８は電源が投入されると、制御部１９に対して光ファイバ側送受信部１５のＳＤ端子に入力させる疑似光検出信号と、データ切り替え器１０へ入力させる疑似データ信号を出力するように指令する（Ｓ１）。
【００６４】
そして、ＳＮＭＰエージェント１８は、光／電気変換部１７が出力している光検出信号を監視する（Ｓ２）。
【００６５】
ここで、光検出信号がある場合にはそのまま監視を続ける（Ｓ２：Ｙｅｓ）。この状態のときデータ切り替え器１０は、光検出信号が来ているので光／電気変換部１７からのデータ信号を光ファイバ側送受信部１５の受信部１５ｂに出力するようになっている。また、光ファイバ側送受信部１５は、データ信号が来ると共に、ＳＤ端子には疑似光検出信号が入っているので正常の動作となる。
【００６６】
一方、光検出信号が消失した場合には（Ｓ２：Ｎｏ）、ＳＮＭＰエージェント１８は光検出信号が消えたことで、光信号の途絶など１００ＢＡＳＥ−ＦＸインタフェースにリンク異常が発生したものと判断し、制御部１９に対して１００ＢＡＳＥ−ＦＸインタフェースのリンク異常を示す保守信号を送信するように指令する（Ｓ３）。これにより制御部１９は、保守サブレイヤ１２から保守信号を送信する。このとき、その他の保守信号、たとえばその他の各部おいて異常が発生している場合にはそれを示す保守信号、また、ステイタス情報、コンフィグレーション情報、自己診断情報など、ＳＮＭＰエージェント１８が別途収集したようなローカル情報を一緒に送信してもよい。
【００６７】
またこのとき、データ切り替え器１０は、データ切り替え器１０に入力されている光検出信号も消えているため、疑似データ信号が光ファイバ側送受信部１５の受信部１５ｂへ出力されるように切り替わる。
【００６８】
したがって、光ファイバ側送受信部１５は、ＳＤ端子には光検出信号の代わりに疑似光検出信号が入力され、データ信号の代わりに疑似データ信号が入力されることになる。このため、光ファイバ側送受信部１５は、光ファイバ側でリンク異常が発生しても、独自にＦＥＦＩ信号を光ファイバケーブル１１０へ送信することはない。
【００６９】
保守信号の送信後、ＳＮＭＰエージェント１８は制御部１９に対して異常処理を行うように指令して（Ｓ４）、処理を終了する。なお、異常処理とは、たとえば、加入者側メディアコンバータに設けられているインジケータランプにより異常を表示するなどである。
【００７０】
一方、送信された保守信号は、光ファイバケーブル１１０を介して局舎側メディアコンバータ３で受信される。
【００７１】
局舎側メディアコンバータ３は、この保守信号を保守サブレイヤ３２が検知して、検知した保守信号はＳＮＭＰユニット４１を介してＳＮＭＰマネージャー４３に渡される。これにより局舎側では、ＳＮＭＰマネージャー４３によって加入者側メディアコンバータの１００ＢＡＳＥ−ＦＸインタフェースにリンク異常が発生したことを知ることができる。
【００７２】
以上のように、本第１の実施の形態によれば、加入者側メディアコンバータ１で光ファイバケーブル１１０が接続されている１００ＢＡＳＥ−ＦＸインタフェースにリンク異常が発生した場合であっても、保守信号の形でこのリンク異常を送信することができるため、このリンク異常を示す保守信号と共に、その他の保守信号、たとえばステイタス情報、コンフィグレーション情報、自己診断情報などのローカル情報を、続けて局舎側メディアコンバータへ送信することが可能となる。
【００７３】
（第２の実施の形態）
第２実施の形態は、１００ＢＡＳＥ−ＦＸインタフェースのリンク異常のみが発生した場合と、このリンク異常と共にその他の異常が発生した場合とで異なる処理をするようにしたものであるので、それらの説明は省略する。
【００７４】
なお、本第２の実施の形態は、ＳＮＭＰエージェント１８による処理手順が異なるのみで、メディアコンバータとしての構成および通常の通信動作は前述した第１の実施の形態と同様である。
【００７５】
図３は、本第２の実施の形態における処理手順を示すフローチャートである。
【００７６】
まず、ＳＮＭＰエージェント１８は電源が投入されると、制御部１９に対して光ファイバ側送受信部１５のＳＤ端子に入力させる疑似光検出信号を出力するように指令する（Ｓ１１）。このとき疑似データ信号は出力しない。
【００７７】
そして、ＳＮＭＰエージェント１８は、光／電気変換部１７が出力している光検出信号を監視する（Ｓ１２）。
【００７８】
ここで、光検出信号がある場合にはそのまま監視を続ける（Ｓ１２：Ｙｅｓ）。この状態のときデータ切り替え器１０は、光検出信号が来ているので光／電気変換部１７からのデータ信号を光ファイバ側送受信部１５の受信部１５ｂに出力するようになっている。また、光ファイバ側送受信部１５は、データ信号が来ると共に、ＳＤ端子には疑似光検出信号が入っているので正常の動作となる。
【００７９】
一方、光検出信号が途切れた場合には（Ｓ１２：Ｎｏ）、ＳＮＭＰエージェント１８は、さらに、他の異常がないか否か制御部１９からの信号により確認する（Ｓ１３）。ここで、他の異常がなければ（Ｓ１３：Ｎｏ）、疑似光検出信号の出力を止めるように制御部１９に指令する（Ｓ３１）。
【００８０】
これにより、光ファイバ側送受信部１５のＳＤ端子では疑似光検出信号が消失し、かつデータ切り替え器１０でもリンク異常によって光検出信号が消失して疑似データ信号側の出力が受信部１５ｂに入力されるように切り替わるが、この段階では疑似データ信号が出力されていないので、光ファイバ側送受信部１５にはデータ信号も入らないことになる。なお、このとき、光／電気変換部１７からのデータ信号もリンク異常により来ていない。
【００８１】
このため、光ファイバ側送受信部１５は、その本来の機能としてＦＥＦＩ信号を送信するようになる。これにより局舎側メディアコンバータでは、このＦＥＦＩ信号によりリンク異常を認識することができる。
【００８２】
その後処理は、ステップＳ１６へ進み、異常処理を行った後、終了となる。
【００８３】
前記ステップＳ１３において他の異常を検知した場合は（Ｓ１３：Ｙｅｓ）、制御部１９に対して疑似光検出信号を継続しつつ、疑似データ信号を出力するように指令する（Ｓ１４）。このとき、データ切り替え器１０は、データ切り替え器１０に入力されている光検出信号がリンク異常により消えているため、入力された疑似データ信号が光ファイバ側送受信部１５の受信部１５ｂへ出力されるように切り替わる。
【００８４】
したがって、光ファイバ側送受信部１５には、ＳＤ端子に光検出信号の代わりに疑似光検出信号が入力され、データ信号の代わりに疑似データ信号が入力されるため、独自にＦＥＦＩ信号を光ファイバケーブル１１０へ送信することはない。
【００８５】
続いて、ＳＮＭＰエージェント１８は、光検出信号が消えたことで、光信号の途絶など１００ＢＡＳＥ−ＦＸインタフェースにリンク異常が発生したものと判断し、制御部１９へ１００ＢＡＳＥ−ＦＸインタフェースのリンク異常を示す保守信号と、その他の異常を示す保守信号を送信するように指令する（Ｓ１５）。これを受けた制御部１９は、保守サブレイヤ１２からそれぞれの異常に対応する保守信号を送信する。
【００８６】
保守信号の送信後、ＳＮＭＰエージェント１８は制御部１９に対して異常処理を行うように指令して（Ｓ１６）、処理を終了する。なお、異常処理とは、第１の実施の形態と同様に、たとえば、加入者側メディアコンバータに設けられているインジケータランプにより異常を表示するなどである。
【００８７】
そして、送信された保守信号は、光ファイバケーブル１１０を介して局舎側メディアコンバータ３で受信される。
【００８８】
局舎側メディアコンバータ３は、受信した保守信号を保守サブレイヤ３２が検知して、検知した保守信号はＳＮＭＰユニット４１を介してＳＮＭＰマネージャー４３に渡される。
【００８９】
そしてＳＮＭＰマネージャー４３は、加入者側メディアコンバータの１００ＢＡＳＥ−ＦＸインタフェースのリンク異常と共に、その他の異常の発生を知ることができる。
【００９０】
以上説明したように、本第２の実施の形態によれば、光ファイバケーブル１１０が接続される１００ＢＡＳＥ−ＦＸインタフェースのリンク異常のみの場合には、疑似光検出信号と疑似データ信号は出力させずに光ファイバ側送受信部１５が持つ本来の機能によりＦＥＦＩ信号を送信するようにし、一方、このリンク異常と共にその他の異常が検出された場合には、疑似光検出信号と疑似データ信号を出力させて光ファイバ側送受信部１５からＦＥＦＩ信号が送信されないようにしたので、光ファイバケーブル１１０が接続される１００ＢＡＳＥ−ＦＸインタフェースのリンク異常のみの場合には光ファイバ側送受信部１５の本来の機能を生かすことができ、かつ、リンク異常と共にその他の異常が発生したときには、それらの異常も保守信号として送信することが可能となる。
【００９１】
以上、本発明を適用した実施の形態を説明したが、本発明は上述した実施の形態に限定されるものではなく様々な変形形態が可能である。
【００９２】
たとえば、上述した第１の実施の形態では、常に疑似データ信号がデータ切り替え器１０に入力されて、データ切り替え器１０に入っている光検出信号が消えたときに疑似データ信号が出力されるようにしているが、疑似データ信号自体は常に発生させている必要はなく、第１の実施の形態においてもリンク異常を検出した場合にのみ発生させるようにしてもよい。この場合、リンク異常がなければ制御部においてデータ信号を発生する必要がないので、その分正常時における制御部の処理負担が少なくなる。
【００９３】
また、上述した各実施の形態では、ＳＤ端子の入力と共にデータ信号の入力を用いて１００ＢＡＳＥ−ＦＸインタフェースのリンク異常を検出する送受信部１５を前提に説明したが、本発明はこのような送受信部を有するメディアコンバータに限定されるものではない。
【００９４】
たとえば、ＳＤ端子の入力のみによって１００ＢＡＳＥ−ＦＸインタフェースのリンク異常を検出する送受信部の場合には、前述したデータ切り替え器や制御部からの疑似信号の発生は不要であり、この場合には、ＳＤ端子には常に疑似光検出信号を入力しておき、一方、光／電気変換部１７からの光検出信号をＳＮＭＰエージェント１８によって監視して、光検出信号が切れた場合には、その旨を知らせる保守信号を送信するようにするとよい。この場合でも、１００ＢＡＳＥ−ＦＸインタフェースのリンク異常を保守信号として局舎側メディアコンバータへ送信できると共に、その他の保守信号を送信することが可能となる。
【００９５】
また、送受信部１５にＳＤ端子が無く、光／電気変換部１７からのデータ信号に基づいて１００ＢＡＳＥ−ＦＸインタフェースのリンク異常を検出する送受信部の場合には、ＳＮＭＰエージェント１８が、光／電気変換部１７からのデータ信号が消失したときに、データ切り替え器１０に対して制御部１９からの疑似データ信号が送受信部１５へ出力されるように切り替える信号を出力するようにするとよい。この場合でも、１００ＢＡＳＥ−ＦＸインタフェースのリンク異常を保守信号として局舎側メディアコンバータへ送信できると共に、その他の保守信号を送信することが可能となる。
【００９６】
また、上述した各実施の形態では、ＳＮＭＰを利用して、保守信号のやりとりを行っているが、本発明はＳＮＭＰを利用することなく上述した処理手順と同様の動作を実行するようにしてもよい。この場合、特に、ＳＮＭＰエージェント１８の機能は、制御部１９が、１００ＢＡＳＥ−ＦＸインタフェースのリンク異常を検出し、それに基づいて、制御部１９がこのリンク異常を示す保守信号を保守サブレイヤ１２によって送信させるようにするとよい。
【００９７】
さらに、上述した各実施の形態では、メディアコンバータそのものの機能として、メタルツイストペアケーブル（第１の伝送媒体）が用いられる１００ＢＡＳＥ−ＴＸ規格と、光ファイバケーブル１１０（第２の伝送媒体）が用いられる１００ＢＡＳＥ−ＦＸ規格の相互変換するものとしたが、これら以外の伝送媒体や伝送規格による信号を相互変換するメディアコンバータについても本発明を適用することができる。
【００９８】
【発明の効果】
以上説明したように本発明によれば、光ファイバ側の信号送受信部に光ファイバ側とのリンク異常を自ら検出して、独自にその異常を知らせる機能を有する場合でも、光ファイバ側の信号送受信部に光ファイバ側のリンク異常を保守信号として送信することができるようになるので、この光ファイバ側のリンク異常の発生と共にその他の保守信号を送信することが可能となる。
【図面の簡単な説明】
【図１】本発明のメディアコンバータを加入者側メディアコンバータに用いた通信システムを示すブロック図である。
【図２】第１の実施の形態における加入者側メディアコンバータにおける光ファイバ側リンク異常を発生時の処理手順を示す図面である。
【図３】第３の実施の形態における加入者側メディアコンバータにおける光ファイバ側リンク異常を発生時の処理手順を示す図面である。
【図４】従来の加入者側メディアコンバータにおける光ファイバ側リンク異常を発生時の動作を説明するための図面である。
【図５】従来の加入者側メディアコンバータにおいて光ファイバ側リンク異常発生時の動作を説明するための図面である。
【符号の説明】
１  加入者側メディアコンバータ
３  局舎側メディアコンバータ
１０  データ切り替え器
１１  加入者側メディアコンバータ内のＬＡＮ側送受信部
１１ａ  送信部
１１ｂ  受信部
１２  加入者側メディアコンバータ内の保守サブレイヤ
１５  加入者側メディアコンバータ内の光ファイバ側送受信部
１５ａ  送信部
１５ｂ  受信部
１６  加入者側メディアコンバータ内の電気／光変換部
１７  加入者側メディアコンバータ内の光／電気変換部
１８  ＳＮＭＰエージェント
１９  加入者側メディアコンバータ内の制御部
２０  加入者側メディアコンバータ内の電源部
２１  加入者側メディアコンバータ内のコネクタ
３１  局舎側メディアコンバータ内のＬＡＮ側送受信部
３２  局舎側メディアコンバータ内の保守サブレイヤ
３３  局舎側メディアコンバータ内の光ファイバ側送受信部
３３ａ  送信部
３３ｂ  受信部
３４  局舎側メディアコンバータ内の電気／光変換部
３５  局舎側メディアコンバータ内の光／電気変換部
３７  局舎側メディアコンバータ内の制御部
３８  局舎側メディアコンバータ内のコネクタ
４１  ＳＮＭＰユニット
４３  ＳＮＭＰマネージャー
１１０  光ファイバケーブル
１２１、１２３  ＬＡＮ
【図１】
0003566268.tif 000002
【図２】
0003566268.tif 000003
【図３】
0003566268.tif 000004
【図４】
0003566268.tif 000005
【図５】
0003566268.tif 000006